(57)【要約】【課題】既設上枠、既設縦枠と新設上枠、新設縦枠との間の隙間が室内から見えないと共に、部品点数が少なくコスト安で、改修作業を容易に短時間にできる改修サッシとする。【解決手段】新設上枠３０の室内側部３０ａに上横気密材４０を取り付け、この上横気密材４０を既設上枠２０の室内側部２０ａに接して既設上枠２０と新設上枠３０との間の隙間が室内から見えないようにし、新設縦枠３２の室内側部３２ａに縦気密材５０を取り付け、この縦気密材５０を既設縦枠２２の室内側部２２ａに接して既設縦枠２２と新設縦枠３２との間の隙間が室内から見えないようにし、上横気密材４０、縦気密材５０を設ければ良く、部品点数が少なくコスト安で、改修作業を容易に短時間にできる改修サッシとする。【選択図】図３
2011185009.tif 000002
【特許請求の範囲】
【請求項１】
建物の開口部に残存した既設サッシ枠内に新設サッシ枠を取り付け、既設上枠の内側面と新設上枠の外側面との間及び、既設縦枠の内側面と新設縦枠の外側面との間に、室内側に開口した隙間をそれぞれ有した改修サッシであって、
前記新設上枠の室内側部に、第１ヒレ部と第２ヒレ部を有した上横気密材を取り付け、その第１ヒレ部が既設上枠の室内側部の室外側面に接すると共に、第２ヒレ部が前記既設上枠の室内側部の室内側面に接し、
前記新設縦枠の室内側部に、第１ヒレ部と第２ヒレ部を有した縦気密材を取り付け、その第１ヒレ部が既設縦枠の室内側部の室外側面に接すると共に、第２ヒレ部が前記既設縦枠の室内側部の室内側面に接していることを特徴とする改修サッシ。
【請求項２】
前記新設上枠の室内側部には気密材被取付部を有し、
前記上横気密材は、取付部と第１ヒレ部、第２ヒレ部を有し、その取付部を前記気密材被取付部に取り付けることで、前記第１ヒレ部、第２ヒレ部が面内方向の外側に向かうようにし、
前記新設縦枠の室内側部には気密材被取付部を有し、
前記縦気密材は、取付部と第１ヒレ部、第２ヒレ部を有し、その取付部を前記気密材被取付部に取り付けることで、前記第１ヒレ部、第２ヒレ部が面内方向の外側に向かうようにした請求項１記載の改修サッシ。
【請求項３】
前記既設上枠の室内側部の室外側面、室内側面は面内方向に向かう面で、
前記上横気密材の第１ヒレ部の新設上枠の外側面から面内方向の外側に突出した突出長さは、第２ヒレ部の突出長さよりも長く、その第１ヒレ部が既設上枠の室内側部の室外側面に接する面内方向の接触長さは、第２ヒレ部の接触長さよりも長くした請求項１又は２記載の改修サッシ。
【請求項４】
前記既設縦枠の室内側部は平面ほぼ鉤形状で、その室外側面が面内方向に向かう面で、室内側面が面外方向に向かう面とし、
前記縦気密材の第１ヒレ部は面内方向の外側に向かい、前記室内側部の室外側面に接し、前記第２ヒレ部は面外方向の室内側に向かうようにほぼＬ字状に弾性変形し、その弾性復元力で前記室内側部の室内側面に接している請求項１又は２記載の改修サッシ。
【請求項５】
前記既設縦枠の室内側部の室外側面、室内側面は面内方向に向かう面で、
前記縦気密材の第１ヒレ部の新設縦枠の外側面から面内方向の外側に突出した突出長さは、第２ヒレ部の突出長さよりも長く、その第１ヒレ部が既設縦枠の室内側部の室外側面に接する面内方向の接触長さは、第２ヒレ部の接触長さよりも長くした請求項１又は２記載の改修サッシ。
【発明の詳細な説明】
【技術分野】
【０００１】
本発明は、建物の開口部に取り付けた既設サッシを新設サッシに改修した改修サッシ、詳しくは、建物の開口部に既設サッシ枠を残存させ、その既設サッシ枠内に新設サッシ枠を取り付けるようにした改修サッシに関する。
【背景技術】
【０００２】
従来、改修サッシとしては、建物の開口部に残存した既設サッシ枠内に新設サッシ枠を取り付けた改修サッシが知られている。
前述した改修サッシは、枠組みされた新設サッシ枠を既設サッシ枠内に挿入し、新設上枠、新設下枠、新設縦枠を既設上枠、既設下枠、既設縦枠にそれぞれ固定するので、新設上枠、新設縦枠の面内方向外側の外側面と既設上枠、既設縦枠の面内方向内側の内側面との間に隙間が生じ、その隙間が室内から見えるので、カバー材を設けて前述の隙間が室内から見えないようにしている。
【０００３】
例えば、特許文献１に開示したように、新設上枠の室内側部にカバー材を取り付け、このカバー材に設けた気密材を建物の開口部の室内寄り上面に接することで、既設上枠の内側面と新設上枠の外側面との間の隙間が室内から見えないようにする。
新設縦枠の室内側部にカバー材を取り付け、このカバー材に設けた気密材を建物の開口部の室内寄り縦面に接することで、既設縦枠の内側面と新設上枠の外側面との隙間が室内から見えないようにする。
【先行技術文献】
【特許文献】
【０００４】
【特許文献１】特開２００７−１２０２４５号公報
【発明の概要】
【発明が解決しようとする課題】
【０００５】
前述した従来の改修サッシは、新設上枠の室内側部と新設縦枠の室内側部とにカバー材をそれぞれ取り付けているので、部品点数が多くコスト高となってしまう。
しかも、新設サッシ枠を既設サッシ枠内に挿入した状態で、新設上枠の室内側部、新設縦枠の室内側部にカバー材をそれぞれ取り付けるので、そのカバー材を取り付けるのに手間と時間がかかり、既設サッシを新設サッシに改修する改修作業が面倒で時間がかかる。
【０００６】
本発明の目的は、新設上枠、新設縦枠の外側面と既設上枠、既設縦枠の内側面との間の隙間が室内から見えることがないと共に、部品点数が少なくコスト安で、改修作業を容易に短時間にできるようにした改修サッシとすることである。
【課題を解決するための手段】
【０００７】
本発明は、建物の開口部に残存した既設サッシ枠内に新設サッシ枠を取り付け、既設上枠の内側面と新設上枠の外側面との間及び、既設縦枠の内側面と新設縦枠の外側面との間に、室内側に開口した隙間をそれぞれ有した改修サッシであって、
前記新設上枠の室内側部に、第１ヒレ部と第２ヒレ部を有した上横気密材を取り付け、その第１ヒレ部が既設上枠の室内側部の室外側面に接すると共に、第２ヒレ部が前記既設上枠の室内側部の室内側面に接し、
前記新設縦枠の室内側部に、第１ヒレ部と第２ヒレ部を有した縦気密材を取り付け、その第１ヒレ部が既設縦枠の室内側部の室外側面に接すると共に、第２ヒレ部が前記既設縦枠の室内側部の室内側面に接していることを特徴とする改修サッシである。
【０００８】
本発明においては、前記新設上枠の室内側部には気密材被取付部を有し、
前記上横気密材は、取付部と第１ヒレ部、第２ヒレ部を有し、その取付部を前記気密材被取付部に取り付けることで、前記第１ヒレ部、第２ヒレ部が面内方向の外側に向かうようにし、
前記新設縦枠の室内側部には気密材被取付部を有し、
前記縦気密材は、取付部と第１ヒレ部、第２ヒレ部を有し、その取付部を前記気密材被取付部に取り付けることで、前記第１ヒレ部、第２ヒレ部が面内方向の外側に向かうようにすることができる。
このようにすれば、新設上枠に上横気密材を簡単に取り付けできると共に、新設縦枠に縦気密材を簡単に取り付けできる。
【０００９】
本発明においては、前記既設上枠の室内側部の室外側面、室内側面は面内方向に向かう面で、
前記上横気密材の第１ヒレ部の新設上枠の外側面から面内方向の外側に突出した突出長さは、第２ヒレ部の突出長さよりも長く、その第１ヒレ部が既設上枠の室内側部の室外側面に接する面内方向の接触長さは、第２ヒレ部の接触長さよりも長くすることができる。
このようにすれば、新設上枠が正圧で室内側に押されたときの既設上枠の室内側部と新設上枠の室内側部との間の気密性が優れたものとなる。
しかも第２ヒレ部が既設上枠の室内側部に接して弾性変形し易いので、上横気密材を新設上枠に取り付けた状態で、新設サッシ枠を室外側から既設サッシ枠内に挿入するときに第２ヒレ部が弾性変形して室内側部をスムーズに越えるから、上横気密材が新設サッシ枠の取り付けの妨げにならない。
【００１０】
本発明においては、前記既設縦枠の室内側部は平面ほぼ鉤形状で、その室外側面が面内方向に向かう面で、室内側面が面外方向に向かう面とし、
前記縦気密材の第１ヒレ部は面内方向の外側に向かい、前記室内側部の室外側面に接し、前記第２ヒレ部は面外方向の室内側に向かうようにほぼＬ字状に弾性変形し、その弾性復元力で前記室内側部の室内側面に接するようにできる。
このようにすれば、既設縦枠の鉤形状の室内側部と新設縦枠の室内側部との間を縦気密材で確実に気密することができる。
【００１１】
本発明においては、前記既設縦枠の室内側部の室外側面、室内側面は面内方向に向かう面で、
前記縦気密材の第１ヒレ部の新設縦枠の外側面から面内方向の外側に突出した突出長さは、第２ヒレ部の突出長さよりも長く、その第１ヒレ部が既設縦枠の室内側部の室外側面に接する面内方向の接触長さは、第２ヒレ部の接触長さよりも長くすることができる。
このようにすれば、新設縦枠が正圧で室内側に押されたときの既設縦枠の室内側部と新設縦枠の室内側部との間の気密性が優れたものとなる。
しかも第２ヒレ部が既設縦枠の室内側部に接して弾性変形し易いので、縦気密材を新設縦枠に取り付けた状態で、新設サッシ枠を室外側から既設サッシ枠内に挿入するときに第２ヒレ部が弾性変形して室内側部をスムーズに越えるから、縦気密材が新設サッシ枠の取り付けの妨げにならない。
【発明の効果】
【００１２】
本発明によれば、既設上枠、既設縦枠の内側面と新設上枠、新設縦枠の外側面との間の隙間が室内から見えることがない。
しかも、新設上枠に上横気密材を取り付け、新設縦枠に縦気密材を取り付けただけであるから、特別な部品が不要で、部品点数が少なくコスト安で、改修作業を容易に短時間にできる。
さらに、新設サッシ枠が強風等の正圧で室内側に押されたときは、各第１ヒレ部が各室外側面に接して気密し、新設サッシ枠が強風等の負圧で室外側に引張られたときには、各第２ヒレ部が各室内側面に接して気密するので、正圧、負圧に対応して気密することができる。
【図面の簡単な説明】
【００１３】
【図１】本発明の実施の形態を示す改修サッシの縦断面図である。
【図２】本発明の実施の形態を示す改修サッシの横断面図である。
【図３】上枠部分の拡大縦断面図である。
【図４】縦枠部分の拡大縦断面図である。
【図５】本発明の第２実施の形態を示す縦枠部分の横断面図である。
【図６】縦気密材取付部の拡大図である。
【発明を実施するための形態】
【００１４】
図１と図２に示すように、建物の開口部１には既設サッシの既設サッシ枠２が残存している。
この既設サッシ枠２内に新設サッシ枠３を取り付け、その新設サッシ枠３内に障子４を装着して新設サッシとすることで、改修サッシとしてある。
前記既設サッシ枠２は既設上枠２０と既設下枠２１と左右の既設縦枠２２を備えている。
【００１５】
前記新設サッシ枠３は新設上枠３０と新設下枠３１と左右の既設縦枠３２を備え、各枠を方形状に枠組みした状態で、既設サッシ枠２内に挿入し、新設上枠３０、新設下枠３１、新設縦枠３２を既設上枠２０、既設下枠２１、既設縦枠２２にそれぞれ固着することで、新設サッシ枠３を既設サッシ枠２内に取り付ける。
【００１６】
図１、図２に示す実施の形態では、既設上枠２０に下地材５を固定し、この下地材５にスペーサ６を介して新設上枠３０を固定して新設上枠３０を既設上枠２０に取り付けている。
前記既設下枠２１に下地材７を固定し、この下地材７に新設下枠３１を固定して新設下枠３１を既設下枠２１に取り付けている。
前記既設縦枠２２に下地材８を固定し、この下地材８に新設縦枠３２をスペーサ６を介して固定して新設縦枠３２を既設縦枠２２に取り付けている。
【００１７】
このようであるから、既設サッシ枠２の内周の大きさよりも新設サッシ枠３の外周の大きさが小さく、既設上枠２０の面内方向内側の内側面（内周面を形成する上の面）と新設上枠３０の面内方向外側の外側面（外周面を形成する上の面）との間には隙間があり、この隙間は室内側に開口している。
前記既設縦枠２２の面内方向内側の内側面（内周面を形成する縦の面）と新設縦枠３２の面内方向外側の外側面（外周面を形成する縦の面）との間には隙間があり、この隙間は室内側に開口している。
前述の面内方向とは室内外側方向と直行する方向で、図１では上下方向、図２では左右方向で、見付け方向とも呼ばれる。
【００１８】
図１に示すように、前記新設上枠３０の室内側部３０ａに上横気密材４０が取り付けてある。
この上横気密材４０が既設上枠２０の室内側部２０ａに接して前述の既設上枠２０の内側面と新設上枠３０の外側面との間の隙間の室内側寄りを閉塞している。
これによって、既設上枠２０の内側面と新設上枠３０の外側面との間の隙間が室内から見えない。
【００１９】
図２に示すように、前記新設縦枠３２の室内側部３２ａに縦気密材５０が取り付けてある。
この縦気密材５０が既設縦枠２２の室内側部２２ａに接して前述の既設縦枠２２の内側面と新設縦枠３２の外側面との間の隙間の室内側寄りを閉塞している。
これによって、既設縦枠２２の内側面と新設縦枠３２の外側面との間の隙間が室内から見えない。
【００２０】
しかも、前述の隙間が室内から見えなくするために、上横気密材４０、縦気密材５０を取り付けただけで、新設上枠３０、新設縦枠３２にカバー材などの特別な部品を取り付けていないから、部品点数が少なくコスト安である。
さらに、上横気密材４０、縦気密材５０を新設上枠３０、新設縦枠３２に取り付けた状態で、新設サッシ枠３を既設サッシ枠２内に挿入し、新設上枠３０、新設下枠３１、新設縦枠３２を既設上枠２０、既設下枠２１、既設縦枠２２にそれぞれ固定するか、新設サッシ枠３を既設サッシ枠２内に取り付けた後に上横気密材４０、縦気密材５０を取り付けることで、新設サッシ枠３を既設サッシ枠２内に取り付けできるので、既設サッシを新設サッシに改修する改修作業を容易に短時間にできる。
【００２１】
前記上横気密材４０は図３に示すように、取付部４１と、この取付部４１に設けた第１ヒレ部４２、第２ヒレ部４３を有する。
前記新設上枠３０の室内側部３０ａには気密材被取付部３０ｂを有し、この気密材被取付部３０ｂに上横気密材４０の取付部４１を取り付けることで、上横気密材４０は新設上枠３０の室内側部３０ａに、その第１ヒレ部４２、第２ヒレ部４３が面内方向の外側（上方）に向かうように取り付けられる。
前記第１ヒレ部４２が既設上枠２０の室内側部２０ａの室外側面２０ｂに接し、第２ヒレ部４３が室内側面２０ｃに接し、上横気密材４０は既設上枠２０の室内側部２０ａを面外方向に挟持するように接する。
【００２２】
このようであるから、強風等の正圧で新設上枠３０が室内側に向けて押されたときには、第１ヒレ部４２が既設上枠２０の室内側部２０ａの室外側面２０ｂに押しつけられて既設上枠２０の室内側部２０ａと新設上枠３０の室内側部３０ａとの間を気密する。
前記新設上枠３０が強風等の負圧で室外側に向けて引張られたときには、第２ヒレ部４３が既設上枠２０の室内側部２０ａの室内側面２０ｃに押しつけられて既設上枠２０の室内側部２０ａと新設上枠３０の室内側部３０ａとの間を気密する。
したがって、上横気密材４０で新設上枠３０に作用する正圧、負圧に対応して気密することができる。
【００２３】
前記縦気密材５０は図４に示すように、取付部５１と、この取付部５１に設けた第１ヒレ部５２、第２ヒレ部５３を有する。
前記新設縦枠３２の室内側部３２ａには気密材被取付部３２ｂを有し、この気密材被取付部３２ｂに縦気密材５０の取付部５１を取り付けることで、縦気密材５０は新設縦枠３２の室内側部３２ａに、その第１ヒレ部５２、第２ヒレ部５３が面内方向の外側に向かうように取り付けられる。
前記第１ヒレ部５２が既設縦枠２２の室内側部２２ａの室外側面２２ｂに接し、第２ヒレ部５３が室内側面２２ｃに接し、縦気密材５０は既設縦枠２２の室内側部２２ａを面外方向に挟持するように接する。
【００２４】
このようであるから、強風等の正圧によって新設縦枠３２が室内側に向けて押されたときには、第１ヒレ部５２が既設縦枠２２の室内側部２２ａの室外側面２２ｂに押しつけられて既設縦枠２２の室内側部２２ａと新設縦枠３２の室内側部３２ａとの間を気密する。
前記新設縦枠３２が強風等の負圧で室外側に向けて引張られたときには、第２ヒレ部５３が既設縦枠２２の室内側部２２ａの室内側面２２ｃに押しつけられて既設縦枠２２の室内側部２２ａと新設縦枠３２の室内側部３２ａとの間を気密する。
したがって、縦気密材５０で新設縦枠３２に作用する正圧、負圧に対応して気密することができる。
【００２５】
次に、新設上枠３０の取付部を詳細に説明する。
図３に示すように、前記既設上枠２０は、本体６０と、その面外方向の室内側寄りに設けた室内側縦向部６１と、本体６０の面外方向の中間に設けた中間縦向部６２と、前記本体６０の面外方向の室外側寄りに設けた室外側縦向部６３を有し、前記室内側縦向部６１には室内側に向かう横向片６４が設けてある。
前記室内側縦向部６１が前述の室内側部２０ａで、その室外側に向かう面が前述の室外側面２０ｂで、室内側に向かう面が前述の室内側面２０ｃである。
つまり、室内側部２０ａは、その室外側面２０ｂと室内側面２０ｃが面内方向（上下方向）に向かう面で、相互に平行となっている。
【００２６】
前記下地材５は固定ねじ５ａで既設上枠２０に固定してある。
前記新設上枠３０は、本体部７０の室内側寄りに室内側垂下部７１を有すると共に、本体部７０の室外側寄りに室外側上向部７２を有し、その室内側垂下部７１が前述の室内側部３０ａである。
前記室内側垂下部７１に室内側に開口した凹溝７３を有し、この凹溝７３が前述の気密材被取付部３０ｂである。
【００２７】
前記既設上枠２０の各縦向部６１，６２，６３の下端面が内側面２０ｄで、新設上枠３０の本体部７０の上面が前述の外側面３０ｃで、両者の面は面内方向に離隔して前述の隙間がある。
前記新設上枠３０の本体部７０から固定ねじ７４を下地材５に螺合して新設上枠３０をスペーサ６を介して下地材５に固定してある。
前記新設上枠３０の室外側上向部７２に気密材７５が取り付けてある。この気密材７５は既設上枠２０の室外側縦向部６３の室外側面、つまり既設上枠２０の室外側面２０ｅに接し、新設上枠３０の室外側部と既設上枠２０の室外側部との間を気密している。
【００２８】
前記上横気密材４０の取付部４１は、基板４１ａと、この基板４１ａに設けた突条４１ｂを有し、その突条４１ｂを前述の凹溝７３に押し込むようにして嵌合することで、基板４１ａが凹溝７３の開口縁に接し、上横気密材４０によって気密材被取付部３０ｂを覆って室内から見えないようにする。
このようであるから、新設上枠３０の室内側部３０ａに上横気密材４０を簡単で、見栄え良く取り付けできる。
【００２９】
前記上横気密材４０の第１ヒレ部４２は、前記基板４１ａと連続し面外方向の室外側に向かう基片４２ａと、この基片４２ａの室外側端と連続し面内方向の外側（上方）に向かう気密片４２ｂとでほぼ鉤形状で、その基片４２ａが新設上枠３０の外側面３０ｃの室内側端部に接し、その外側面３０ｃに沿って雨水等が気密材被取付部３０ｂ（凹溝７３）に浸入することを確実に防止している。
【００３０】
前記上横気密材４０の第１ヒレ部４２、第２ヒレ部４３は新設上枠３０の外側面３０ｃから面内方向の外側（上方）にそれぞれ突出しているが、その第１ヒレ部４２の突出長さは第２ヒレ部４３の突出長よりも長い。
これにより、前記既設上枠２０の室内側部２０ａの室外側面２０ｂに接する第１ヒレ部４２の面内方向の接触長さは、室内側面２０ｃに接する第２ヒレ部４３の面内方向の接触長さよりも長い。
このようであるから、新設上枠３０に正圧が作用し室内側に押されたときの気密性を優れたものにできる。
しかも新設サッシ枠３を既設サッシ枠２内に室外側から室内側に向けて挿入して取り付けるときに、第２ヒレ部４３が既設上枠２０の室内側部２０ａに接して弾性変形し、その室内側部２０ａをスムーズに越えるので、上横気密材４０が新設サッシ枠３の取り付けの妨げにならない。
【００３１】
次に、新設縦枠３２の取付部を詳細に説明する。
図４に示すように、前記既設縦枠２２は本体８０の室内側部に室内側内向部８１を有すると共に、本体８０の室外側部に室外側内向部８２を有し、前記室内側内向部８１の面内方向の端部に面外方向の室内側に向かう取付部８３が設けてある。
この取付部８３と前記室内側内向部８１とが前述の既設縦枠２２の室内側部２２ａで、その室内側内向部８１の室外方向に向かう室外側面が前述の室外側面２２ｂで、取付部８３の面外方向の内側に向かう内側面が前述の室内側面２２ｃである。
つまり、既設縦枠２２の室内側部２２ａは面内方向に向かう室外側面２２ｂと面外方向に向かう室内側面２２ｃで平面ほぼ鉤形状となっている。
前記下地材８は既設縦枠２２の本体８０に固定ねじ８ａで固定してある。
【００３２】
前記新設縦枠３２は、本体部９０の室内側寄りに室内側内向部９１を有すると共に、室外側寄りに室外側外向部９２を有している。この室内側内向部９１が室内側部３２ａである。
前記室内側内向部９１に室内側に開口した凹溝９３を有し、この凹溝９３が前述の気密材被取付部３２ｂである。
前記既設縦枠２２の室内側内向部８１、室外側内向部８２の内端面が前述の内側面２２ｄで、前記新設縦枠３２の本体部９０の外側面が前述の外側面３２ｃで、その内側面２２ｄと外側面３２ｃは面内方向（左右方向）に離隔し、両者の間に前述の隙間を有する。
前記新設縦枠３２の本体部９０から固定ねじ９４を下地材８に螺合して新設縦枠３２をスペーサ６を介して下地材８に固定している。
前記新設縦枠３２の室外側外向部９２には気密材９５が取り付けてある。この気密材９５は既設縦枠２２の室外側内向部８２の室外側面、つまり既設縦枠２２の室外側面２２ｅに接し、既設縦枠２２の室外側部と新設縦枠３２の室外側部との間を気密している。
【００３３】
前記縦気密材５０の取付部５１は、基板５１ａと、この基板５１ａに設けた突条５１ｂを有し、その突条５１ｂを前述の凹溝９３に押し込むようにして嵌合することで、基板５１ａが凹溝９３の開口縁に接し、縦気密材５０によって気密材被取付部３２ｂを覆って室内から見えないようにする。
このようであるから、新設縦枠３２の室内側部３２ａに縦気密材５０を簡単で、見栄え良く取り付けできる。
【００３４】
前記第１ヒレ部５２は、前記基板５１ａと連続した面外方向の室外側に向かう基片５２ａと、この基片５２ａの室外側端と連続し面内方向の外側に向かう気密片５２ｂとでほぼ鉤形状で、その基片５２ａが新設縦枠３２の外側面３２ｃの室内側端部に接し、気密材被取付部３２ｂ（凹溝９３）に雨水等が浸入することを確実に防止している。
【００３５】
前記第２ヒレ部５３は、前記基板５１ａと連続し、その第２ヒレ部５３は既設縦枠２２の室内側部２２ａの室内側面２２ｃに接することで面外方向の室内側に向かうようにほぼＬ字状に弾性変形し、その弾性復元力で前述の室内側面２２ｃに強く押しつけられて気密する。
これによって、既設縦枠２２の室内側部２２ａの室内側面２２ｃが面外方向に向かう面であっても、縦気密材５０の第２ヒレ部５３で確実に気密することができる。
したがって、既設縦枠２２の平面鉤形状の室内側部２２ａと新設縦枠３２の室内側部３２ａとの間を縦気密材５０で確実に気密できる。
【００３６】
次に、改修工程を説明する。
建物の開口部１に取り付けてある既設サッシ枠２を残存し、他の既設サッシの部材は取り外しする。
前記既設上枠２０に下地材５を固定し、既設縦枠２２に下地材８を固定する。
前記既設下枠２１に下地材７を固定する。この実施の形態では室外側レール２１ａを撤去し、室内側レール２１ｂに下地材７を固定してある。
【００３７】
新設上枠３０に上横気密材４０を取り付けると共に、新設縦枠３２に縦気密材５０を取り付け、枠組みした新設サッシ枠３を室外側から既設サッシ枠２内に挿入することで、上横気密材４０の第１ヒレ部４２、第２ヒレ部４３を既設上枠２０の室内側部２０ａの室外側面２０ｂ、室内側面２０ｃにそれぞれ接すると共に、縦気密材５０の第１ヒレ部５２、第２ヒレ部５３を既設縦枠２２の室内側部２２ａの室外側面２２ｂ、室内側面２２ｃにそれぞれ接する。
そして、新設上枠３０、既設下枠３１、新設縦枠３２を各下地材に固定ねじ７４，９４で固定して新設サッシ枠３を既設サッシ枠２内に取り付ける。
この後に障子４を取り付ける。
【００３８】
前記既設縦枠２２が図５に示すように、その室内側部２２ａが既設上枠２０と同様に室内側内向部８１で、その室外側面２２ｂ、室内側面２２ｃが面内方向に向かう面である場合には、縦気密材５０を上横気密材４０と同様とする。
【００３９】
前記縦気密材５０は図６に示すように、取付部５１と、この取付部５１に設けた第１ヒレ部５２、第２ヒレ部５３を有する。
前記新設縦枠３２の室内側部３２ａには気密材被取付部３２ｂを有し、この気密材被取付部３２ｂに縦気密材５０の取付部５１を取り付けることで、縦気密材５０は新設縦枠３２の室内側部３２ａに、その第１ヒレ部５２、第２ヒレ部５３が面内方向の外側（左方）に向かうように取り付けられる。
前記第１ヒレ部５２が既設縦枠２２の室内側部２２ａの室外側面２２ｂに接し、第２ヒレ部５３が室内側面２２ｃに接し、縦気密材５０は既設縦枠２２の室内側部２２ａを面外方向に挟持するように接する。
【００４０】
前記縦気密材５０の第１ヒレ部５２は、前記基板５１ａと連続し面外方向の室外側に向かう基片５２ａと、この基片５２ａの室外側端と連続し面内方向の外側（左方）に向かう気密片５２ｂとでほぼ鉤形状で、その基片５２ａが新設縦枠３２の外側面３２ｃの室内側端部に接し、その外側面３２ｃに沿って雨水等が気密材被取付部３２ｂ（凹溝９３）に浸入することを確実に防止している。
【００４１】
前記縦気密材５０の第１ヒレ部５２、第２ヒレ部５３は新設縦枠３２の外側面３２ｃから面内方向の外側（左方）にそれぞれ突出しているが、その第１ヒレ部５２の突出長さは第２ヒレ部５３の突出長よりも長い。
これにより、前記既設縦枠２２の室内側部２２ａの室外側面２２ｂに接する第１ヒレ部５２の面内方向の接触長さは、室内側面２２ｃに接する第２ヒレ部５３の面内方向の接触長さよりも長い。
このようであるから、新設縦枠３２に正圧が作用し室内側に押されたときの気密性を優れたものにできる。
しかも新設サッシ枠３を既設サッシ枠２内に室外側から室内側に向けて挿入して取り付けるときに、第２ヒレ部５３が既設縦枠２２の室内側部２２ａに接して弾性変形し、その室内側部２２ａをスムーズに越えるので、縦気密材５０が新設サッシ枠３の取り付けの妨げにならない。
【００４２】
既設サッシ枠２内に新設サッシ枠３を取り付ける構成は、前述に限ることはなく、任意の取り付けが可能である。
しかも、上横気密材４０、縦気密材５０を、新設サッシ枠３を既設サッシ枠２内に取り付けた後に新設上枠３０、新設縦枠３２に取り付けるようにしても良い。
【符号の説明】
【００４３】
１…建物の開口部、２…既設サッシ枠、３…新設サッシ枠、２０…既設上枠、２０ａ…室内側部、２０ｂ…室外側面、２０ｃ…室内側面、２０ｄ…内側面、２１…既設下枠、２２…既設縦枠、２２ａ…室内側部、２２ｂ…室外側面、２２ｃ…室内側面、２２ｄ…内側面、３０…新設上枠、３０ａ…室内側部、３０ｂ…気密材被取付部、３０ｃ…外側面、３１…新設下枠、３２…新設縦枠、３２ａ…室内側部、３２ｂ…気密材被取付部、３２ｃ…室内側面、３２ｄ…外側面、４０…上横気密材、４１…取付部、４２…第１ヒレ部、４３…第２ヒレ部、５０…縦気密材、５１…取付部、５２…第１ヒレ部、５３…第２ヒレ部。
【図１】
2011185009.tif 000003
【図２】
2011185009.tif 000004
【図３】
2011185009.tif 000005
【図４】
2011185009.tif 000006
【図５】
2011185009.tif 000007
【図６】
2011185009.tif 000008